(57)【要約】      （修正有）【課題】拡散板、偏光板、及びＰＢＳを容易に着脱可能な反射型液晶表示装置を提供する。【解決手段】筐体１４上部を着脱可能なカバー１３として形成すると共に、拡散板、偏光板、及びＰＢＳ１１の各構成部材を筐体１４に接着固定せず、着脱可能な構成とする。【選択図】      図６
2004309660.tif 000002
【特許請求の範囲】
【請求項１】
少なくとも、筐体と、反射型液晶表示パネルと、拡散板と、偏光板と、偏光ビームスプリッタとで構成される反射型液晶表示装置であって、前記筐体の上部を着脱可能なカバーとして形成した事を特徴とする反射型液晶表示装置。
【請求項２】
少なくとも、前記拡散板、偏光板、偏光ビームスプリッタは、前記筐体に着脱可能である事を特徴とする請求項１記載の反射型液晶表示装置。
【発明の詳細な説明】
【０００１】
【発明の属する技術分野】
本発明は、反射型液晶表示装置に関する。
【０００２】
【従来の技術】
図１〜３は、本発明に係る構成を有する反射型液晶表示装置を示す図で、図１は断面図、図２は筐体部分と基台部分が分離した状態を示す斜視図、図３は偏光ビームスプリッタ（ＰＢＳ）を筐体に組み込む方法を示す図である。以下、図１〜３を参照し、本発明に係る構成を有する反射型液晶表示装置について説明する。回路基板１の上面に反射型液晶表示パネル２が搭載されており、それを囲むように基台３が接着固定されている。基台３には、フック４が複数設けられており、それが筐体５に設けられた係合部６にそれぞれ係合する事により、基台３に筐体５が位置決め固定されている。筐体５の一端には、光源であるＬＥＤ７が設けられており、回路基板１と電気的接続がなされている。前記ＬＥＤ７の光の出射方向にはテーパ形状を有する導光部８が筐体５にインサート成形されていると共に、該導光部８の、ＬＥＤ７と対向する側の一端には、拡散板９と偏光板１０が同じくインサート成型されている。更に、筐体５の反射型液晶表示パネル２と対向する位置には、反射型液晶表示パネル２を覆うようにＰＢＳ１１が嵌め込み固定されている。
【０００３】
【発明が解決しようとする課題】
以上説明したように、前記本発明に係る構成を有する反射型液晶表示装置においては、拡散板９、偏光板１０、及びＰＢＳ１１等の各構成部材が筐体５内部に組み込まれる構成となっている。特に、ＰＢＳ１１は、筐体５に固定する際、図３に示すように、筐体５に設けられた挿入口１２を通して図中矢印の方向に挿入される。そのため、筐体５とＰＢＳ１１が擦れ、ＰＢＳ１１表面に傷が付いてしまう事があった。傷が付いたＰＢＳ１１は、使用不可能になってしまう。筐体５の構造上、ＰＢＳ１１に傷を付ける事無く組み込む事は、非常に困難である。また、拡散板９、偏光板１０、及び導光部８は、筐体５にインサート成型されているため、着脱不可能である。例え、着脱可能であったとしても、筐体５内部に組み込まれているため、着脱に多くの労力を要する事となる。
【０００４】
本発明は、上記問題点に鑑みてなされたものであり、ＰＢＳを初めとする各構成部材を容易に着脱可能な反射型液晶表示装置を提供する事を目的とする。
【０００５】
【課題を解決するための手段】
少なくとも、筐体と、反射型液晶表示パネルと、拡散板と、偏光板と、偏光ビームスプリッタとで構成される反射型液晶表示装置であって、前記筐体の上部を着脱可能なカバーとして形成すると共に、前記各構成部材を着脱可能な構成とする。
【０００６】
【発明の実施の形態】
図４〜６は、本発明の一実施形態を示す図で、図４は断面図、図５は筐体部分と基台部分が分離した状態を示す斜視図、図６は筐体部分の分解斜視図である。以下、図４〜６を参照し、本発明の一実施形態について説明する。特徴としては、前記筐体５の上部を着脱可能なカバー１３として形成した事である。まず、回路基板１の上面に反射型液晶表示パネル２が搭載されており、それを囲むように基台３が設けられている。基台３には、フック４が複数設けられており、それが筐体１４に設けられた係合部６にそれぞれ係合する事により、基台３に筐体１４が位置決め固定されている。尚、ここまでの基本的な構成は、前記本発明に係る構成を有する反射型液晶表示装置と同様である。
【０００７】
筐体１４内部には、偏光ユニット１５が組み込まれており、着脱可能となっている。この偏光ユニット１５は、偏光板１６、及び２枚の拡散板１７ａ、１７ｂを導光部材１８とその対向部材１９で挟持したものであり、各構成部材は、接着されておらず分解可能となっている。更に、導光部材１８の一端にはＬＥＤ７が嵌め込み固定される。
【０００８】
筐体１４の反射型液晶表示パネル２と対向する位置には、反射型液晶表示パネル２を覆うようにＰＢＳ１１がカバー１３により上方から押圧固定されている。前記カバー１３は、前記本発明に係る構成を有する反射型液晶表示装置の筐体５上部を着脱可能な部材として形成したもので、筐体１４に取付ける際には、まず、ＰＢＳ１１と偏光ユニット１５を筐体１４に組み込み、その後、前記カバー１３を筐体１４上部から被せる。カバー１３側面には、切り抜き部２０が複数設けられており、それが筐体１４側面に設けられたフック２１と係合する事により、カバー１３が筐体１４を覆うように位置決め固定される。即ち、カバー１３は、ＰＢＳ１１、及び偏光ユニット１５を上方から押圧固定する役割を果たしている。
【０００９】
尚、本実施形態においては、カバー１３が筐体１４全体を覆う構成としたが、十分な強度や筐体１４内部の各構成部材（ＰＢＳ１１、偏光ユニット１５等）に対する十分な保持力が得られるのであれば、どのような形状でも構わず限定は無い。また、必ずしも偏光ユニット１５のような構成を用いる必要が無いことは言うまでもない。
【００１０】
【発明の効果】
以上説明したように、本発明によれば、ＰＢＳを傷を付ける事無く筐体に組み込む事が出来るだけでなく、カバー、拡散板、偏光板、及びＰＢＳの各構成部材が筐体に接着固定されておらず、着脱可能となっているため、ＰＢＳに傷が付いたり、ゴミ等が付着した場合であっても、容易に取り外して交換、若しくはゴミ等の除去を行う事が出来る。更に、拡散板と偏光板が交換可能となるため、組み立てた後であっても、拡散板や偏光板を適宜選択する事により、反射型液晶表示パネルに入射される光量の調節が出来る。
【図面の簡単な説明】
【図１】本発明に係る構成を有する反射型液晶表示装置を示す断面図
【図２】本発明に係る構成を有する反射型液晶表示装置において、筐体部分と基台部分が分離した状態を示す斜視図
【図３】本発明に係る構成を有する反射型液晶表示装置において、ＰＢＳを筐体に組み込む方法を示す断面図
【図４】本発明の一実施形態を示す断面図
【図５】本発明の一実施形態において、筐体部分と基台部分が分離した状態を示す斜視図
【図６】本発明の一実施形態を示す分解斜視図
【符号の説明】
１  回路基板
２  反射型液晶表示パネル
３  基台
４  フック
５  筐体
６  係合部
７  ＬＥＤ
８  導光部
９  拡散板
１０  偏光板
１１  偏光ビームスプリッタ（ＰＢＳ）
１２  挿入口
１３  カバー
１４  筐体
１５  偏光ユニット
１６  偏光板
１７ａ  拡散板
１７ｂ  拡散板
１８  導光部材
１９  対向部材
２０  切り抜き部
２１  フック
【図１】
2004309660.tif 000003
【図２】
2004309660.tif 000004
【図３】
2004309660.tif 000005
【図４】
2004309660.tif 000006
【図５】
2004309660.tif 000007
【図６】
2004309660.tif 000008